(57)【要約】      （修正有）【課題】足場に手摺取付金具を締付け工程を要することなくワンタッチで着脱可能に取り付けることができる足場用手摺取付金具を提供する。【解決手段】足場用手摺取付金具３１は、足場の建枠の縦支柱を通す背面方向に開いたコ字状の溝形鋼からなる支持部材３３と、支持部材３３の左右両側面から左右方向に向かって延伸された翼板３５の先端に形成され、上端に開口が形成されてなる有底の円筒状の保持部材３７と、支持部材３３の背面の開口端から上方に延伸するように設けられ、支持部材３３の上端よりも上方に突設されてなるアーチ型の引掛け部材３９とを備える。【選択図】図５
0003199629.tif 000002
【実用新案登録請求の範囲】
【請求項１】
足場の建枠の縦支柱を通す背面方向に開いたコ字状の溝形鋼からなる支持部材と、
前記支持部材の左右両側面から左右方向に向かって延伸された翼板の先端に形成され、上端に開口が形成されてなる有底の円筒状の保持部材と、
前記支持部材の背面の開口端から上方に延伸するように設けられ、前記支持部材の上端よりも上方に突設されてなるアーチ型の引掛け部材と、を有し、
前記引掛け部材を前記建枠の横支柱に引掛けたとき、引掛け部材の前面側において、前記建枠の縦支柱が溝形鋼のコ字状内に位置することを特徴とする足場用手摺取付金具。
【請求項２】
前記支持部材には、前記支持部材の背面方向に開いたコ字状の開口端の一方の略中央部から延伸した補助板を備え、前記補助板に、前記建枠の縦支柱背面側を挿通する外れ防止用ボルトを設けてなる請求項１に記載の足場用手摺取付金具。
【請求項３】
前記保持部材の側周壁には、速報から内部に突出可能な固定用ボルトを設けてなる請求項１ないし２のいずれかに記載の足場用手摺取付金具。
【考案の詳細な説明】
【技術分野】
【０００１】
本考案は、建築現場や建設現場などの工事現場において組み立てられ使用される足場に設けられ、作業員が足場から転落するのを未然に防止する手摺を簡便に取り付けるための足場用手摺取付金具に関する。
【背景技術】
【０００２】
工事現場において建枠や筋交いによって組み立てられる足場には、安全のために手摺が設けられている。
具体的には、足場に設けられる手摺であって、足場の支柱に取り付けられる支持部材と、この支持部材に着脱可能に設けられる手摺本体とを備え、前記支持部材は、前記支柱に固定されるクランプ部と、このクランプ部と一体をなし、前記支柱が通される溝を有する案内部と、この案内部に取り付けられ、前記手摺本体の縦材がはめ込まれる保持部とを備える足場用先行手摺が知られている（特許文献１参照）。
【先行技術文献】
【特許文献】
【０００３】
【特許文献１】実用新案登録第３１７８９０４号
【考案の概要】
【考案が解決しようとする課題】
【０００４】
しかし、従来技術は、支持部材を構成するクランプ部で手摺本体の全荷重を支える構成であるために、クランプ部のネジを締付る工程を要し、さらに支持部材の構造が複雑化するなどの課題があった。
【０００５】
本考案は、前記課題を解決するためになされたもので、足場に手摺取付金具を締付け工程を要することなくワンタッチで着脱可能に取り付けられ、シンプルな構造のために製作コストも安価にすることができる足場用手摺取付金具を提供できる。
【課題を解決するための手段】
【０００６】
本考案は、前記課題を解決し、有用な足場用手摺取付金具を提供するもので、請求項１に記載の考案は、足場の建枠の縦支柱を通す背面方向に開いたコ字状の溝形鋼からなる支持部材と、前記支持部材の左右両側面から左右方向に向かって延伸された翼板の先端に形成され、上端に開口が形成されてなる有底の筒状の保持部材と、前記支持部材の背面の左右の開口端から上方に延伸するように設けられ、前記支持部材の上端よりも上方に突設されてなるアーチ型の引掛け部材と、を有し、前記引掛け部材を前記建枠の横支柱に引掛けたとき、引掛け部材の前面側において、前記建枠の縦支柱が溝形鋼のコ字状内に位置することを特徴とする足場用手摺取付金具である。
また、前記保持部材は、有底部分の一部に開放部分を持たせているのが好ましく、これにより雨水や塵が溜まることを防止できる。
【０００７】
前記支持部材には、好ましくは、前記支持部材の背面方向に開いたコ字状の開口端の一方の略中央部から延伸した補助板を備え、前記補助板に前記建枠の縦支柱の背面側を挿通する外れ防止用ボルトを設ける。これにより、前記支持部材が外れるのを確実に防止することができる。
【０００８】
前記保持部材の側周壁には、好ましくは、側方から内部に突出可能な固定用ボルトを設ける。これにより、手摺の支柱が上部に抜け出ることを防止することができる。
【考案の効果】
【０００９】
本考案によれば、足場の建枠に手摺取付用金具を締付け工程を要することなく、ワンタッチで着脱可能に取り付けることができ、先行手摺の設置を可能とし、脱落のおそれがない。
【図面の簡単な説明】
【００１０】
【図１】本考案の足場用手摺取付金具の一実施例を示す図であり、足場に取り付けられた状態を示す斜視図である。
【図２】本考案の足場用手摺取付金具の正面図である。
【図３】本考案の足場用手摺取付金具の平面図である。
【図４】本考案の足場用手摺取付金具の右側面図である。
【図５】本考案の足場用手摺取付金具を前方から見た斜視図である。
【図６】本考案の足場用手摺取付金具を後方から見た斜視図である。
【図７】図１の足場用手摺取付金具を足場に取り付けられた状態を上から見た斜視図である。
【図８】図１の足場用手摺取付金具を足場に取り付けられた状態の一部切欠き平面図である。
【図９】本考案の足場用手摺取付金具を足場にワンタッチで取り付けるためのやり方を模式的に示した左側面図（ａ，ｂ，ｃ）である。
【考案を実施するための形態】
【００１１】
以下、本考案に係る実施の形態を、図を参照しながら詳しく説明する。
【００１２】
足場は、図１に示すように、地面に複数の建枠１を等間隔で平行に配置し、隣り合う建枠１，１同士を筋交い３により連結すると共に、建枠１を順に上方に連結し、さらに、建枠１，１同士を架け渡すように布板５を設けることで構成される。
【００１３】
建枠１は、前後に離隔して配置される一対の縦支柱９，９と、この縦支柱９の上端部同士を架け渡すように設けられる横支柱１１とを有し、鳥居型に形成されている。
各縦支柱９の上端部には、上方へ突出して円柱状の差し込み部１３が設けられており、この差し込み部１３を、上段に位置する縦支柱の下端部内に差し込むことにより、建枠１，１を上下に連結する。
【００１４】
本考案の足場用手摺取付金具３１の一実施例を、図２ないし８に示す。足場用手摺取付金具３１は、足場の建枠１の縦支柱９を通す背面方向に開いたコ字状の溝形鋼からなる支持部材３３と、前記支持部材３３の左右両側面から左右方向に向かって延伸された翼板３５の先端に形成され、上端に開口が形成されてなる有底の円筒状の保持部材３７と、前記支持部材３３の背面の開口端から上方に延伸するように設けられ、前記支持部材３３の上端よりも上方に突設されてなるアーチ型の引掛け部材３９とを備える。
【００１５】
支持部材３３は、前面板３３１と、前記前面板３３１の左右端部から後方に延びる左右の側板３３２，３３３を備え、前面板３３１、側板３３２，３３３で囲まれる案内部Ｈが形成され、この案内部Ｈ内に上下方向に建枠１の縦支柱９が挿通可能である。
【００１６】
また、支持部材３３は、前記支持部材３３の左側板３３２の略中央部から後方に延伸した補助板３３ｄを備え、前記補助板３３ｄに、建枠１の縦支柱９から前記支持部材３３が外れることを防止するための外れ防止用ボルト３３ｅを設けている。
なお、前記前面板３３１には、連結具１５の突起部を回避するための切欠き孔３３ａおよび溝３３ｂが形成されている。
【００１７】
翼板３５は、支持部材３３の左右両側面の前後中央部から左右方向に向かって延伸された板材で、その各先端に保持部材３７，３７が設けられている。
【００１８】
保持部材３７は、筒状に形成されている。実施例では円筒状とされており、手摺４１の支柱４３を挿入保持するためのもので、前記保持部材３７の底部には矩形の板材３７ａを固着してなり、前記保持部材３７の有底部の一部に開放部分を設けた構成とし、手摺４１の支柱４３の下限ストッパーの役目と共に、前記保持部材３７の円筒状の中に雨水及び塵が溜まることを防止できる構成となっている。
また、前記保持部材３７の側周壁には、手摺４１の支柱４３が上部に抜け出ることを防止するための固定用ボルト３７ｂを設けている。固定用ボルト３７ｂは、保持部材３７の径方向にネジ込み可能となっている。
【００１９】
建枠１の一対の縦支柱９，９には、それぞれ２つの連結具１５が上下に離隔して設けられている。連結具１５は、縦支柱９に対して垂直に設けられる軸部１５ａと、この軸部１５ａに回動可能に設けられるストッパー片１５ｂとを有する。
【００２０】
一対の縦支柱９，９に設けられる連結具１５の軸部１５ａは、対向するように設けられている。軸部１５ａの先端部には、先端側へ開口する矩形状の溝１５ｃが直角方向に沿って形成されている。
【００２１】
ストッパー片１５ｂは、長方形状の板片とされ、軸部１５ａの溝１５ｃに嵌め込まれてピン１５ｄが通され、軸部１５ａに回動可能に設けられている。
また、ストッパー片１５ｂは、その長手方向が、軸部１５ａの軸線に対して垂直および平行に配置可能とされる。
【００２２】
筋交い３は、パイプ状とされ、その軸方向両端部は、径方向両端部が内側へ押し潰されて扁平な板状に形成されている。この板状部には、軸部１５ａが通される穴が形成されている。
【００２３】
足場を組み立てる際には、建枠１を等間隔に離隔して配置し、隣り合う建枠１，１の連結具１５に筋交い３の各端部を取り付ける。図示例では、筋交い３は、隣り合う建枠１，１の手前側の縦支柱９，９同士を連結するように、筋交い３が２本交差するように取り付けられる。
【００２４】
筋交い３は、その端部の穴に建枠１の連結具１５の軸部１５ａが通されて、ストッパー片１５ｂにより脱落が防止される。そして、隣り合う建枠１，１の横支柱１１，１１に、布板５を架け渡す。さらに、現場に応じて、建枠１を上方に順次連結し、筋交い３および布板５を取り付けていく。このようにして、足場が構成される。
なお、最下段の建枠１の縦支柱９の下端部には、矩形板状のベース２５が取り付けられている。
【００２５】
このように組み立てられる足場に設けられる本実施例の足場用手摺取付金具３１は、建枠１に取り付けられる支持部材３３と、この支持部材３３に設けられる保持部材３７および引掛け部材３９を主要部に備えることにより、筋交い３とは別に独立した手摺４１を足場に設けている。
【００２６】
上記したように、かかる構造の本考案の一実施例について、図面９（ａ，ｂ，ｃ）に基づいて設置方法を説明する。
図９（ａ）は、建枠１の縦支柱９の先端の差し込み部１３に、本考案の足場用手摺取付金具３１の引掛け部材３９のアーチ型部分を挿入する状態の模式図である。
図９（ｂ）は、図９（ａ）の挿入状態の続きであって、引掛け部材３９のアーチ型部分が横支柱１１に当たって、縦支柱９に対し足場用手摺取付金具３１が斜交い状態の模式図である。
図９（ｃ）は、図９（ｂ）の斜交い状態の続きであって、足場用手摺取付金具３１の案内部Ｈに縦支柱９を通し、且つ、引掛け部材３９のアーチ型部分を横支柱１１に引掛け状態の模式図である。
【００２７】
図７ないし９に示すように、上記のように足場用手摺取付金具３１を建枠１に挿入し横支柱１１に引掛けた後、外れ防止用ボルト３３ｅをネジ込んで、前記建枠１から前記足場用手摺取付金具３１が外れないようにする。
【００２８】
次に、足場用手摺取付金具３１の保持部材３７に手摺４１の支柱４３を挿入保持した後、固定用ボルト３７ｂをネジ込んで、前記保持部材３７から前記支柱４３が抜け出ないようにする。
【００２９】
上記の通り、本考案によれば、建枠１に足場用手摺取付金具３１を締付け工程を要することなく設置することができ、前記建枠１に手摺４１を簡便で、しかも短時間で着脱可能に取り付けることができる足場用手摺取付金具３１を提供できる。
【００３０】
また、本考案によれば、足場を組み上げた後でも、手摺４１が着脱可能であることから、部分的に筋交い３と手摺４１を一旦取り外して、荷物等の出し入れする空間を作ることができる。
【００３１】
さらに、足場用手摺取付金具３１が特殊な部材を使うことなく、一般材を使用することもできるために、廉価な足場用手摺取付金具３１を提供できる。
【００３２】
本考案の足場用手摺取付金具は、上記実施例の構成に限らず、適宜変更可能である。
たとえば、手摺本体の形状は、適宜変更可能である。
具体的には、上記実施例では、手摺本体の支柱は、パイプ状としているが、板材や角材等であっても良い。
【符号の説明】
【００３３】
１    建枠
３    筋交い
５    布板
９    縦支柱
１１    横支柱
１３    差し込み部
１５    連結具
３１    足場用手摺取付金具
３３    支持部材
３５    翼板
３７    保持部材
３９    引掛け部材
４１    手摺
４３    支柱
Ｈ    案内部
【図１】
0003199629.tif 000003
【図２】
0003199629.tif 000004
【図３】
0003199629.tif 000005
【図４】
0003199629.tif 000006
【図５】
0003199629.tif 000007
【図６】
0003199629.tif 000008
【図７】
0003199629.tif 000009
【図８】
0003199629.tif 000010
【図９】
0003199629.tif 000011